(57)【特許請求の範囲】
【請求項１】
設備筐体を固定するねじ部材と、前記ねじ部材に螺合するナット部材とを備えるとともに、該ナット部材に接点機構を内設し、該接点機構は前記設備筐体の裏面と前記ナット部材間で締付挟持することにより閉成し前記ねじ部材周囲近傍に前記ねじ部材と前記ナット部材の螺合関係が緩んだ状態で開成するように対向して配設された少なくとも一対の接点からなり、該接点から配線部材を導出して前記ねじ部材と前記ナット部材の締付け状態、及び緩み状態を検知することを特徴とする検出用スイッチ。
【発明の詳細な説明】
【０００１】
【発明の属する技術分野】
本発明は、安全性や機密性の要求される機器に取付けられ、ねじ等の緩みを検出する検出用スイッチに関する。
【０００２】
【従来の技術】
従来、マイクロスイッチや押ボタンスイッチなどの検出用スイッチは、機器の修理作業に関して作業の安全性を確保するために扉や本体に取付け、機器扉の開放等を検知して電源を遮断するものや、機器の安全性を確保するために稼動状態の開封を防止するために取付けるもの、さらに盗難防止や機密性を確保するために開放を禁止する目的で鍵スイッチなどを使用する場合もある。
【０００３】
【発明が解決しようとする課題】
しかし、何れもスイッチの取付け位置が明確であり、機器に関する僅かな知識があればこうした従来の検出用スイッチを非検出状態にすることは極めて容易であり、高度なセキュリティを持たせるための鍵スイッチであっても、機器が分解されてしまえば容易に作動させることが可能である。
また、近年、送電設備のボルトが外されるという事件や、決して緩んではならない車両のボルトが振動で緩んでしまうという事故が報告されているが、従来の検出用スイッチではこうした高い信頼性を要求される用途に適した検出手段はなく、本発明は以上の問題点を解決するために発明されたものである。
【０００４】
【課題を解決するための手段】
設備筐体をねじに設けた頭部により締付け固定するねじ部材と、前記ねじ部材に螺合するナット部材とを備えるとともに、該ナット部材に接点機構を内設し、該接点機構は前記設備筐体の裏面と前記ナット部材間で締付挟持することにより閉成し前記ねじ部材周囲近傍に前記ねじ部材と前記ナット部材の螺合関係が緩んだ状態で開成するように対向して配設された少なくとも一対の接点からなり、該接点から配線部材を導出する。
【０００５】
【発明の実施の形態】
本発明の検出用スイッチは、機器の筐体を固定する締付ねじとして使用すれば、修理作業者を高電圧部位や高温部から保護することができる。
また、緩んではならないねじの緩みを検出することが可能であるとともに監視機器や記録媒体を接続させることにより、事故を未然に防止することが可能となる。
さらに筐体ねじの締め忘れの予防や使用頻度の少ない機器の設定用スイッチとしても応用することができる。
【０００６】
【実施例】
以下、本実施例について図面を参照しながら詳細に説明する。
図１は本発明の検出用スイッチの実施例を表す正面断面図であり、図２はその底面図、さらに図３はその分解斜視図である。
また、図４はハウジング５を下方から見た外観図であり、図５はそのハウジング５にインサート成形されている一対の固定接触片９の外観図、さらに図６は可動接触片６と六角ナット１１との組合せ図である。
【０００７】
これらの図において、絶縁性部材により形成された六角柱状のハウジング５には導電性部材により形成された一対の固定接触片９がインサート成形により対向配設されており、ハウジング５の内部の六辺の対向辺がそれぞれ対向した接点部を構成するように形成されている。そして、六角ナット１１には可動接触片６を組込むための溝部１２が形成され、折返し曲げにより形成された梁部８を左右に一対垂下した可動接触片６を図６の状態に前記溝部１２に組入れている。
【０００８】
図１はねじ１により表面パネルを設備筐体に固定した使用状態を表している。ねじ１が締付けられている状態では、六角ナット１１がハウジング５の上面に当接するため、可動接触片６の梁部８の上方先端部に突出形成された突出部７がハウジング５により強く押し下げられることにより、梁部８が外側に押し曲げられて固定接触片９と接触し対向配設された固定接触片９の端子部１０間を電気的に導通状態に維持するように作用する。
【０００９】
図７は図１からねじ１が緩んだ状態を表し、突出部７とハウジング５の突当て関係が僅かに緩んでも、直ちに固定接触片９と可動接触片６の接触が開成されるため、端子部１０間の遮断により、ねじ１の緩みを容易に検出することができる。なお、図８は対辺に溝が無い標準的な六角ナット３１を使用した構成事例であり、梁部２８の突当て形状やその方法についても様々な応用が可能である。
【００１０】
そして、図９は本発明の検出用スイッチの実施例の使用状況を表す部分断面外観図であり、このように構成された本発明の検出用スイッチは、ねじが僅かに緩みだした状態を検出することが可能であるため、ねじが欠落して重大な状態に陥る前にねじの緩みを検出するという極めて高い安全性を得ることができる。
【００１１】
また、表面パネル側からはねじの緩みを検出していることが全く判らないため、機密性が求められる場所や盗難防止用の警報スイッチとしても使用することができる。
【００１２】
説明した以上の実施例では、接点部は開閉の有無を検出する硬質の金属部材により構成されているが、対向した接点の少なくとも何れか一方を接触圧力により接触抵抗値が変化する弾性接点部材で形成することにより、ねじとナットの締付トルク値の推定が可能となり、さらに詳細な検知システムを構築することができる。
なお、ねじやボルト以外にも、リベットなど恒久的に固定した構造物の劣化や破壊についても同様の検知が可能である。
【００１３】
【発明の効果】
以上、詳細に説明したように、本発明によれば次のような効果を奏することができる。
（１）設備筐体を固定するねじ部材と、このねじ部材に螺合するナット部材とを備えるとともに、該ナット部材に接点機構を内設し、該接点機構は前記設備筐体の裏面と前記ナット部材間で締付挟持することにより閉成し前記ねじ部材周囲近傍に前記ねじ部材と前記ナット部材の螺合関係が緩んだ状態で開成するように対向して配設された少なくとも一対の接点からなり、該接点から配線部材を導出して前記ねじ部材とナット部材の締付け状態、及び緩み状態を検知するように構成したので、重要なねじの緩みを検出することが可能となり、事故を未然に防止することができる。
（２）ねじ部材は頭部を有し、前記スイッチ本体上面部と前記頭部下面部間で構造物を支持可能としたので、表面パネル側からはねじの緩みを検出していることが全く判らないため、機密性が求められる場所や盗難防止用の警報スイッチとして使用することができる。
【図面の簡単な説明】
【図１】  本発明の検出用スイッチの実施例を表す正面断面図である。
【図２】  本発明の検出用スイッチの実施例を表す底面図である。
【図３】  本発明の検出用スイッチの実施例を表す分解斜視図である。
【図４】  本発明の検出用スイッチの実施例のハウジング下面外観図である。
【図５】  本発明の検出用スイッチの実施例の固定接触片の外観図である。
【図６】  本発明の検出用スイッチの実施例の可動接触片と六角ナットの組合図である。
【図７】  本発明の検出用スイッチの実施例のねじが緩んだ状態を表す正面側面図である。
【図８】  本発明の検出用スイッチの溝無し六角ナットを使用した構成事例を表す外観図である。
【図９】  本発明の検出用スイッチの実施例の使用状況を表す部分断面外観図である。
１  ねじ
２  座金
３  表面パネル
４  設備筐体
５  ハウジング
６、２６  可動接触片
７、２７  突出部
８、２８  梁部
９  固定接触片
１０  端子部
１１、３１  六角ナット
１２  溝部
【図１】
0004179522.tif 000002
【図２】
0004179522.tif 000003
【図３】
0004179522.tif 000004
【図４】
0004179522.tif 000005
【図５】
0004179522.tif 000006
【図６】
0004179522.tif 000007
【図７】
0004179522.tif 000008
【図８】
0004179522.tif 000009
【図９】
0004179522.tif 000010